(57)【要約】【課題】必要最小限の要素を脱着することで、施錠装置の操作部の位置を変更する。【解決手段】先端に係止部７を備えた左右のラッチバー５、６と、左右のラッチバー５、６の基端に設けられ、ラッチバー５、６を突出姿勢と退避姿勢との間でスライド移動させる作動機構８を備えた操作部と、を備えたシャッターの施錠装置において、ラッチバー５、６は、座板４の室内側面部にシャッターカーテンの幅方向に延設したラッチバー収容部４５内をスライド移動可能であると共に、ラッチバー収容部４５には、シャッターカーテンの幅方向に延びる開口４５Ａが形成されており、各ラッチバー５、を長さ方向に分割して、係止部を備えた第１要素５０、６０を含む複数の要素５０、６０、５１、６１、５２、６２から組立分解可能に構成し、第１要素以外の少なくとも１つの要素５１、６１を、ラッチバー収容部４５の開口４５Ａを通して室内側から脱着可能とした。【選択図】図３
2010163816.tif 000002
【特許請求の範囲】
【請求項１】
先端に係止部を備えた左右のラッチバーと、左右のラッチバーの基端に設けられ、ラッチバーを突出姿勢と退避姿勢との間でスライド移動させる作動機構を備えた操作部と、を備えたシャッターの施錠装置において、
前記ラッチバーは、シャッターカーテンの面部にシャッターカーテンの幅方向に延設したラッチバー収容部内をスライド移動可能であり、
前記ラッチバー収容部の正面には、シャッターカーテンの幅方向に延びると共に、当該ラッチバー収容部の内部空間の高さ寸法よりも小さい高さ寸法の開口が形成されており、
各ラッチバーを長さ方向に分割して、係止部を備えた第１要素を含む複数の要素から組立分解可能に構成し、
前記第１要素以外の少なくとも１つの要素を、前記ラッチバー収容部の開口を通して正面から脱着可能としたことを特徴とするシャッターの施錠装置。
【請求項２】
各ラッチバーは、先端に係止部を備えた第１要素と、第２要素と、基端に作動機構が連結された第３要素と、からなり、
前記第２要素の一端は前記第１要素の基端に、他端は前記第３要素の先端に、それぞれ開口を通して螺子によって固定されており、
前記第２要素は、第１要素及び第３要素に対して前記開口を通して正面から脱着可能である、
請求項１に記載のシャッターの施錠装置。
【請求項３】
前記脱着可能な要素は、当該要素の長さ方向に亘って延出する本体と、本体の上側に形成された上側垂直片と、本体の下側に形成された下側垂直片と、本体の面部から開口を通して突出形成されたつまみ部と、を備え、
前記脱着可能な要素は、ケンドン式で、前記開口から前記ラッチバー収容部に対して取り外し・差し入れ可能に構成されている、
請求項１、２いずれかに記載のシャッターの施錠装置。
【請求項４】
前記操作部は、前記開口を通して、前記ラッチバー収容部内に収納した固定プレートに対して螺子で締め付けることで、前記操作部と前記固定プレートとの間に前記上下の垂直片を挟持させて固定されており、前記螺子を緩めることで、前記操作部は、前記固定プレート及び前記螺子と共に前記ラッチバー収容部に沿ってシャッターカーテンの幅方向に移動可能である、
請求項１乃至３いずれかに記載のシャッターの施錠装置。
【請求項５】
左右のラッチバーを構成する左右の脱着可能な要素は異なる長さ寸法を備えており、前記左右の脱着可能な要素を入れ替えることで前記操作部の位置がシャッターカーテンの幅方向に可変に構成されている、請求項１乃至４いずれかに記載のシャッターの施錠装置。
【発明の詳細な説明】
【技術分野】
【０００１】
本発明は、シャッターの施錠装置に関するものである。
【背景技術】
【０００２】
シャッターの施錠装置としての座板錠は、先端の係止部が座板の両端部からそれぞれガイドレール内に突出する左右のラッチバーと、左右のラッチバーの基端に設けられ、ラッチバーを突出姿勢と退避姿勢との間でスライド移動させる作動機構を備えた操作部と、を備えている。このような座板錠の基本的な構成および動作については、特許文献１を参照することができる。
【０００３】
一般に、窓シャッターで使用している座板錠の操作部は、操作時に窓障子の竪框が邪魔になるのを避けるべく、室内側から見た時に左右いずれか一方側に偏移して設置されており（図１参照）、したがって、左右のラッチバーの長さ寸法が異なっている。したがって、例えば座板錠の操作部が室内側から見た時に左側に偏移して設置されているものにおいて、部屋の間取りや、家具等の配置等によって室内側から見た時に右側に操作部を設けたい場合には、新たに勝手違いのラッチバーを用意し、ガイドレールなどを取り外して、ラッチバーを交換する必要があった。
【０００４】
特許文献２には、操作体を、開閉体の幅方向に沿って調整された所定の複数の位置または任意位置に位置変更可能とした施錠装置が開示されている。しかしながら、特許文献２の明細書に開示された具体的構成においては、位置変更用付替部材は互いに嵌合することで連結されており、位置変更用付替部材の付け替えのためにはガイドレールなどを取り外して施錠装置全体を組み直す必要があると考えられる。
【先行技術文献】
【特許文献】
【０００５】
【特許文献１】特開２００７−６３８２８号公報
【０００６】
【特許文献２】特開２００８−２５１０４号公報
【発明の概要】
【発明が解決しようとする課題】
【０００７】
本発明は、シャッターの施錠装置において、必要最小限の要素を脱着することで、施錠装置の操作部の位置を変更することを目的とするものである。
【課題を解決するための手段】
【０００８】
本発明は、先端に係止部を備えた左右のラッチバーと、左右のラッチバーの基端に設けられ、ラッチバーを突出姿勢と退避姿勢との間でスライド移動させる作動機構を備えた操作部と、を備えたシャッターの施錠装置において、
前記ラッチバーは、シャッターカーテンの面部にシャッターカーテンの幅方向に延設したラッチバー収容部内をスライド移動可能であり、
前記ラッチバー収容部の正面には、シャッターカーテンの幅方向に延びると共に、当該ラッチバー収容部の内部空間の高さ寸法よりも小さい高さ寸法の開口が形成されており、
各ラッチバーを長さ方向に分割して、係止部を備えた第１要素を含む複数の要素から組立分解可能に構成し、
前記第１要素以外の少なくとも１つの要素を、前記ラッチバー収容部の開口を通して正面から脱着可能としたことを特徴とするシャッターの施錠装置、である。
典型的には、前記ラッチバー収容部は、座板の室内側面部に設けてあり、前記開口は室内側に面しており、前記脱着可能な要素は、前記開口を通して、室内側正面から脱着可能となっている。
ラッチバー収納部は、後述する実施形態では、水平状に延出する上下の水平片と、前記上下の水平片から対向状に延出する上下の垂直片と、を備え、前記上下の垂直片の先端間にシャッターカーテンの幅方向に延びる開口が形成されており、前記開口の高さ寸法は、前記上下の水平片間に形成されるラッチ収納部の内部空間の高さ寸法よりも小さい寸法となっている。ラッチバー収納部の構成は、このものに限定されるものではなく、例えば、上下の水平片と下側の垂直片とを備え、上側の水平片の先端と下側の垂直片の上端との間に開口が形成されるものでもよい。
【０００９】
１つの態様では、各ラッチバーは、先端に係止部を備えた第１要素と、第２要素と、基端に作動機構が連結された第３要素と、からなり、
前記第２要素の一端は前記第１要素の基端に、他端は前記第３要素の先端に、それぞれ開口を通して螺子によって固定されており、
前記第２要素は、第１要素及び第３要素に対して前記開口を通して正面から脱着可能である。
１つの態様では、左右のラッチバーを構成する左右の脱着可能な要素は異なる長さ寸法を備えており、前記左右の脱着可能な要素を入れ替えることで前記操作部の位置がシャッターカーテンの幅方向に可変に構成されている。
【００１０】
１つの態様では、前記脱着可能な要素は、当該要素の長さ方向に亘って延出する本体と、本体の上側に形成された上側垂直片と、本体の下側に形成された下側垂直片と、本体の面部から開口を通して突出形成されたつまみ部と、を備え、
前記脱着可能な要素は、ケンドン式で、前記開口から前記ラッチバー収容部に対して取り外し・差し入れ可能に構成されている。
また、前記脱着可能な要素の形状は上記及び実施形態に記載した形状に限定されるものではなく、ラッチバー収容部の開口を通して正面から取り出し・差し入れ可能な形状であれば、他の形状であってもよい。
【００１１】
１つの態様では、前記操作部は、前記開口を通して、前記ラッチバー収容部内に収納した固定プレートに対して螺子で締め付けることで、前記操作部と前記固定プレートとの間に前記上下の垂直片を挟持させて固定されており、前記螺子を緩めることで、前記操作部は、前記固定プレート及び前記螺子と共に前記ラッチバー収容部に沿ってシャッターカーテンの幅方向に移動可能である。
また、操作部は、正面からシャッターカーテンの幅方向の位置が移動できるものであれば、ラッチバー収容部に対してスライド移動可能なものに限定されず、例えば、正面からラッチバー収容部に対して脱着可能となっており、操作部をラッチバー収容部から取り外して、ラッチバー収容部の他の所定位置に再び取り付けるようにしてもよい。
【発明の効果】
【００１２】
本発明では、従来は１本の部材であった左右のラッチバーを、それぞれ複数の要素に分解し、少なくとも１つの要素をラッチバー収容部の開口を通して正面から脱着可能としたので、ガイドレールなどを取り外す必要がなく、必要最小限の要素を脱着することで、施錠装置の操作部の位置を変更することができる。
【００１３】
各ラッチバーを、先端に係止部を備えた第１要素と、第２要素と、基端に作動機構が連結された第３要素と、から構成し、第２要素を脱着可能としたものでは、１つの要素（第２要素）を脱着するだけで操作部の位置を変更することができる。
【図面の簡単な説明】
【００１４】
【図１】窓シャッター装置を室内側から見た概略斜視図である。
【図２】（Ａ）本発明に係る施錠装置を備えた座板の平面図；（Ｂ）本発明に係る施錠装置を備えた座板の正面図；（Ｃ）施錠装置の構成要素（左右のラッチバーと操作部）を示す正面図である。
【図３】図２（Ｂ）、（Ｃ）の部分拡大図である。
【図４】図２（Ｂ）におけるＡ−Ａ断面図である。
【図５】図２（Ｂ）におけるＢ−Ｂ断面図である。
【図６】図２（Ｂ）におけるＣ−Ｃ断面図である。
【図７】（Ａ）第１要素、第３要素の本体を示す側面図、（Ｂ）固定プレートの正面図及び側面図である。
【図８】それぞれ第２要素の形状を示す断面図である。
【図９】第２要素をラッチバー収容部の開口を通して脱着する過程を示す側面図である。
【図１０】突出姿勢（施錠状態）にある座板錠を示す一部省略正面図である。
【図１１】退避姿勢（解錠状態）にある座板錠を示す一部省略正面図である。
【図１２】操作部の座板への取り付けを示す図である。
【図１３】操作部の座板への取り付けを示す図である。
【発明を実施するための形態】
【００１５】
図１は、窓シャッター装置を室内側から見た概略斜視図であり、窓シャッター装置は、窓開口部を開閉する窓障子（図１では便宜上部分的に切り欠いて示してある）１の室外側に設置されている。窓シャッター装置は、窓開口部の幅方向に延出する複数枚のスラット２ａを上下に連設して形成されたシャッターカーテン２と、シャッターカーテン２の幅方向の左右の両端部を受け入れて案内する左右のガイドレール３と、窓開口部の上方に設けたシャッターケース（図示せず）と、シャッターケースに内装され、シャッターカーテン２の上端が連結さている巻取シャフト（図示せず）を備えている。窓シャッター装置の基本的な構成は当業者に良く知られており、詳細については例えば特許文献１の記載を参照することができる。
【００１６】
シャッターカーテン２の最下位のスラットは座板４を形成しており、座板４には、シャッターの施錠装置としての座板錠が設けてある。座板錠は、開口部全閉状態において、座板の長さ方向の両端部から左右のラッチバー５、６がそれぞれガイドレール３内に突出し、ラッチバー５、６の先端に形成された係止部７がガイドレール３内に形成された被係止部（ラッチ受け）３０に下方から係止することでシャッターカーテンの上昇を規制するように構成される（図１０参照）。左右のラッチバー５、６の基端部には操作部が設けてある。操作部は、ラッチバー５、６の作動機構８と、解錠手段として操作レバー９と、を備えている。左右のラッチバー５、６の基端部は共に作動機構８に連結されている。作動機構８は、ラッチバー５、６を、先端の係止部７がガイドレール３内に突出する突出姿勢（施錠姿勢）と先端の係止部７が座板４の両端部から内側に退避する退避姿勢（解錠姿勢）との間でスライド移動させると共に、付勢手段（後述するスプリング８４Ａ、８４Ｂが例示される）によってラッチバー５、６を突出姿勢となるように付勢している。作動機構８には、突出姿勢にあるラッチバー５、６を退避させて施錠状態を解錠する操作レバー９が設けてある。尚、施錠・解錠共に手動操作する場合には、操作部の操作レバーは施錠・解錠操作手段となる。以下の説明において、典型的な態様として座板錠に基づいてシャッターの施錠装置を説明するが、開口部全閉状態でラッチバーの係止部がガイドレール側の被係止部に係止してシャッターカーテンの上昇を規制できるものであれば、施錠装置（ラッチバー５、６、作動機構８、操作レバー９）をシャッターカーテン２の最下位のスラット（座板４）以外のスラット２ａに設けてもよい。
【００１７】
図２乃至図６に示すように、座板４は、窓開口部の幅方向に延出する垂直状の板状部４０からなり、板状部４０の上端には直上のスラット２ａの下端に係合する係合部４１が一体形成され、板状部４０の下端には窓開口部の幅方向に延出する緩衝部材４２Ａが装着される溝部４２が一体形成されている。板状部４０の室内側面部には水切り片４３が、板状部４０の室外側面部には、開口部開放時に開口部上方のまぐさ部に当接するストッパ４４がそれぞれ設けてある。
【００１８】
板状部４０の室内側面部には、座板４（板状部４０）の長さ方向に亘って水平状に延出する凹部状のラッチバー収容部４５が形成されており、左右のラッチバー５、６はラッチバー収容部４５内に長さ方向に移動可能に収容されている。ラッチバー収容部４５には室内側に面して長さ方向に延びる開口４５Ａが形成されており、ラッチバー収容部４５の内部空間は開口４５Ａを介して室内側空間と連通している。
【００１９】
ラッチバー収容部４５は、より具体的には、板状部４０の長さ方向に亘って板状部４０の室内側面部から上下に離間して水平状に延出する上下の水平片４５０、４５１と、上下の水平片４５０、４５１の先端から互いに接近する方向に垂直状に延出する上下の垂直片４５２、４５３（すなわち、上側の水平片４５０の先端から垂下する上側の垂直片４５２と、下側の水平片４５１の先端から立ち上がる下側の垂直片４５３）とから構成されており、上下の垂直片４５２、４５３の先端間に開口４５Ａが形成されている。図４乃至図６から明らかなように、開口４５Ａの縦幅（高さ）寸法は、ラッチバー収容部４５の内部空間の縦幅（高さ）寸法よりも小さく、開口４５Ａはラッチバー収容部４５の内部空間よりも幅狭となっている。
【００２０】
図示の実施形態において、座板錠を構成する左右のラッチバー５、６は、それぞれ、第１要素５０、６０、第２要素５１、６１、第３要素５２、６２の３つの要素から構成されており、これらの３つの要素を連結してなるラッチバー５、６はラッチバー収容部４５内に長さ方向（左右方向）にスライド移動可能に収容されている。第１要素５０、６０の先端には係止部７が形成されており、第１要素５０、６０の基端には第２要素５１、６１の一方の端部が連結され、第２要素５１、６１の他方の端部には第３要素５２、６２の先端が連結されており、第３要素５２、６２の基端は、ラッチバー５、６を突出姿勢と退避姿勢との間でスライド移動させて座板錠の施錠・解錠を行なう作動機構８に連結されている。
【００２１】
図２に示すように、本実施形態では、第１要素５０、６０の長さ寸法、第３要素５２、６２の長さ寸法は左右のラッチバー５、６間で同一である。第２要素５１、６１の長さ寸法については、左右のラッチバー５、６間で長さ寸法が異ならしめてあり、図示の態様では、左側のラッチバー５の第２要素５１の長さ寸法に比べて、右側のラッチバー６の第２要素６１の長さ寸法が大きくなっている。
【００２２】
図７（Ａ）に示すように、第１要素５０、６０、第３要素５２、６２の本体は、鋼板をロール成形することで形成されており、断面視略Ｃ形状を備えた部材である。より具体的には、本体は垂直部５００、６００、５２０、６２０と、垂直部５００、６００、５２０、６２０の上端に一体形成された上向き膨出状の湾曲部５０１、６０１、５２１、６２１と、垂直部５００、６００、５２０、６２０の下端に一体形成された下向き膨出状の湾曲部５０２、６０２、５２２、６２２と、からなる。第１要素５０、６０の本体の先端には係止部７が取り付けられている。第３要素５２、６２の本体の基端は操作部の作動機構８に連結されている。尚、第１要素、第３要素は、鋼板をロール成形したものに限定されるものではなく、長さ方向に加わる力に対してある程度の剛性を備えているものであれば、他の形状や他の成形方法で形成したもの、あるいは、他の部材から形成したものでもよい。
【００２３】
図８に示すように、第２要素５１、６１は、開口幅方向に延出する垂直部５１０、６１０と、垂直部５１０、６１０の高さ方向の略中央部位から室内側に向かって水平状に延出する第１水平部５１１、６１１と、垂直部５１０、６１０の高さ方向の略中央部位から第１水平部５１１、６１１とは反対側に向かって水平状に延出する第２水平部５１２、６１２と、垂直部５１０、６１０の上端に第１水平部５１１、６１１とは反対側に延出する上側水平部５１３、６１３と、上側水平部５１３、６１３から上方に垂直状に延出する上側垂直片５１４、６１４と、垂直部５１０、６１０の下端に第１水平部５１１、６１１とは反対側に延出する下側水平部５１５、６１５と、下側水平部５１５、６１５から下方に垂直状に延出する下側垂直片５１６、６１６と、からなる。垂直部５１０、６１０と、上側水平部５１３、６１３と、下側水平部５１５、６１５とが、第２要素５１、６１の長さ方向全体に亘って延出する本体を構成している。１つの態様では、第２要素５１、６１はアルミ形材から形成されているが、長さ方向に加わる力に対してある程度の剛性を備えているものであれば、他の部材、例えば硬性樹脂等から形成してもよい。以下の説明において、一方の第２要素６１（５１）についての説明は他方の第２要素５１（６１）の説明に援用することができる。
【００２４】
第１水平部５１１、６１１は、第２要素５１、６１を、開口４５Ａを通してラッチバー収容部４５から取り出しあるいは差し込む際のつまみ部を形成している。図示の態様では、第１水平部５１１、６１１は、第２要素５１、６１の長さ方向の両端部（第１要素５０、６０、第３要素５２、６２に室内側から重ね合わせて連結される部位）を除いて第２要素５１、６１の長さ方向に沿って延出している。第１水平部５１１、６１１の突出寸法は、第２要素５１、６１がラッチバー収容部４５内に収容された状態で、第１水平部５１１、６１１が開口４５Ａから指で掴める程度突出する寸法である。第１水平部５１１、６１１を、第２要素５１、６１の長さ方向に間隔を存して複数設けてもよい。
【００２５】
上側垂直片５１４、６１４、下側水平部５１５、６１５、下側垂直片５１６、６１６は、第２要素５１、６１がラッチバー収容部４５内をスライド移動する際のガイドとしての機能を有している。図５に示すように、第２要素６１がラッチバー収容部４５に収容された状態では、ラッチバー収容部４５を形成する下側の垂直片４５３の上端に第２要素６１の下側水平部６１５が載り、第２要素６１の上側垂直片６１４がラッチバー収容部４５を形成する上側の垂直片４５２に内側から近接ないし当接し、第２要素６１の下側垂直片６１６がラッチバー収容部４５を形成する下側の垂直片４５３に内側から近接ないし当接している。ラッチバー収容部４５の奥行き寸法は、第１要素６０（第３要素６２）の厚さ＋上側垂直片６１４、下側垂直片６１６の厚さよりも僅かに大きい寸法に形成されている。ラッチバー収容部４５の開口４５Ａの縦幅と第２要素６１との形状・寸法の関係は、第２要素６１の下側水平片６１５が下側垂直片４５３に当接した状態において、上側垂直片６１４が上側垂直片４５２にラッチバー収容部４５内部から近接ないし接触して重なるような寸法となっている。第２要素５１の構成については、上記第２要素６１の説明を援用することができる。このように構成することで、ラッチバー５、６はラッチバー収容部４５内においてガタなく円滑に長さ方向に摺動することができる。
【００２６】
図示の態様では、上側垂直片５１４、６１４、下側垂直片５１６、６１６は、第１水平部５１１、６１１よりもさらに幅方向に短尺に形成されているが、これには限定されず、例えば、第１水平部５１１、６１１と同等の長さを有していてもよい。上側垂直片５１４、６１４、下側垂直片５１６、６１６を第２要素５１、６１の長さ方向に間隔を存して複数設けてもよい。また、上側垂直片５１４、６１４の高さ寸法は、下側垂直片５１６、６１６の高さ寸法よりも大きい寸法となっている。図６に示すように、第２要素６１の長さ方向の両端部は、垂直部６１０と、上側の水平部６１３と、下側の水平部６１５と、上下の水平部６１３、６１５に寸法を合わせて短尺とした第２水平部６１２´と、からなる。ここでの第２要素６１の説明は第２要素５１の説明に援用することができる。
【００２７】
第２要素５１、６１の長さ方向の両端部は、それぞれ、第１要素５０、６０の基端部、第３要素５２、６２の先端部に螺子Ｓ１によって着脱可能に固定されている。より具体的には、第１要素５０、６０の断面視略Ｃ形状の本体の内部には基端側に位置して、螺子孔１０Ａを備えた方形状の固定プレート１０（ナットを構成している）が設けてあり、第２要素５１、６１の長さ方向の一端部を第1要素５０、６０の本体の室内側面に当接させて、開口４５Ａを通して螺子Ｓ１で固定する。同様に、第３要素５０、６０の断面視略Ｃ形状の本体の内部には先端側に位置して、螺子孔１０Ａを備えた方形状の固定プレート１０（ナットを構成している）が設けてあり、第２要素５１、６１の長さ方向の他端部を第1要素５０、６０の本体の室内側面に当接させて、開口４５Ａを通して螺子Ｓ１で固定する。図６は第２要素６１と第１要素６０との固定状態を示す断面図であり、上下の水平部６１３、６１５、第２水平部６１２´の端縁が第１要素６０の本体の垂直部６００の室内側面に当接している。
【００２８】
上側垂直片５１４、６１４の高さ寸法は、下側垂直片５１６、６１６の高さ寸法よりも大きい寸法となっており、また、下側水平片５１５、６１５が下側垂直片４５３に当接した状態において、上側垂直片５１４、６１４の上端とラッチバー収容部４５の上側水平片４５０の内面との間の寸法が、下側垂直片５１６、６１６の垂下寸法よりも大きい寸法となっていることから、第２要素５１、６１は、下側水平片５１５、６１５が下側垂直片４５３に当接した状態から、第２要素５１、６１の下側垂直片５１６、６１６の下端がラッチバー収容部４５の下側垂直片４５３の上端よりも上方に位置するまで上動可能となっている。すなわち、ラッチバー収容部４５内で第２要素５１、６１を上動させて、上側水平片５１３、６１３をラッチバー収容部４５の上側垂直片４５２の先端に当接させた時に、第２要素５１、６１の下側垂直片５１６、６１６の下端がラッチバー収容部４５の下側垂直片４５３の上端よりも上方に位置する（図９参照）。したがって、図９に示すように、室内側正面から開口４５Ａを通して螺子Ｓ１を取り外して第２要素５１、６２と第１要素５０、６０、第３要素５２、６２の連結を解除し、第１水平部５１１、６１１を掴んで第２要素５１、６１をラッチバー収容部４５内で上動させながら回動することで、室内側から第２要素５１、６１を開口４５Ａを介して取り外すことができる。
【００２９】
また、取り外した第２要素５１、６１を、開口４５Ａを通して第１要素５０、６０、第３要素５２、６２に取り付ける場合には、第１水平部５１１、６１１を掴んで第２要素５１、６１を、室内側正面から開口４５Ａを通してラッチバー収容部４５内に上げ落としによって差し入れ（いわゆるケンドン式）、第２要素５１、６１の両端部を第１要素５０、６０の基端部、第３要素の先端部にそれぞれ室内側から当接させて、開口４５Ａを通して螺子Ｓ１で固定することで、ラッチバー５、６を組み立てることができる。
【００３０】
左右のラッチバー５、６をスライド移動させる作動機構８は、立ち上がり状のベース８０と、ベース８０に形成された左右のガイド長孔８１Ａ、８１Ｂと、ピン８２Ａ、８２Ｂを介してガイド長孔８１Ａ、８１Ｂに沿って左右方向に移動可能に設けられた左右のラッチバー連結体８３Ａ、８３Ｂと、左右のラッチバー連結体８３Ａ、８３Ｂを互いに離隔する方向に付勢するように左右のラッチバー連結体８３Ａ、８３Ｂの一端に連結された左右のスプリング８４Ａ、８４Ｂと、左右のラッチバー連結体８３Ａ、８３Ｂの他端同士を連結する回動アーム８５と、を備えており、作動機構８の前面にはカバー体８７が装着されている。作動機構８の回動アーム８５には、回動アーム８５を回転作動して解錠するための操作レバー９が連結されている。
【００３１】
第３要素５２、６２の本体（垂直部５２０、６２０）の基端側には、ピン８２Ａ、８２Ｂの受孔５２０Ａ、６２０Ａが形成されており（図２参照）、ラッチバー５、６の第３要素５２、６２はピン８２Ａ、８２Ｂを介してラッチバー連結体８３Ａ、８３Ｂに連結されている。回動アーム８５の一端は連結ピン８５ａを介して一方のラッチバー連結体８３Ａの基端側に形成した長孔８６Ａに受け入れられており、回動アーム８５の他端は連結ピン８５ｂを介して他方のラッチバー連結体８３Ｂの基端側に形成した長孔８６Ｂに受け入れられており、操作レバー９の先端は連結ピン８５ａに連結されている。
【００３２】
ラッチバー５、６の基端側が連結されている左右のラッチバー連結体８３Ａ、８３Ｂは、スプリング８４Ａ、８４Ｂによって互いに離隔する方向（それぞれガイドレール３の底壁に向かって突出する方向）に付勢されているため、ラッチバー５、６の先端の係止部７はガイドレール３内に突出した状態となる（図１０）。係止部７の下側面は湾曲状の案内面となっており、シャッターカーテン２が降下して、突出姿勢にある係止部７の案内面が被係止部（ラッチ受け）３０の傾斜面に当接すると、スプリング８４Ａ、８４Ｂに抗して左右のラッチバー５、６が共に基端側に退避しながら（連結ピン８５ａ、８５ｂが長孔８６Ａ、８６Ｂ内を移動して）、傾斜面に沿って下方に移動し、被係止部（ラッチ受け）３０の傾斜面よりも下方に移動した時に、スプリング８４Ａ、８４Ｂの付勢力で、ラッチバー５、６が突出して係止部７の上面が被係止部（ラッチ受け）３０の下面に下方から係止して施錠状態となる。
【００３３】
開口部全閉状態かつ施錠状態にあるシャッターカーテンを開放する時には、操作レバー９を上方に回動操作することで（例えば、操作レバー９に連結された操作紐９Ａを用いて）、スプリング８４Ａ、８４Ｂに抗して左右のラッチバー５、６が共に基端側に退避しながら解錠姿勢となり（図１１）、また、操作レバー９の回動方向とシャッターカーテン２の持上げ方向が同じ方向となって、巻取シャフトに内蔵されたバランススプリングによっていわゆる上がり勝手にあるシャッターカーテン２が上昇して開口部を開放する。
【００３４】
作動機構８と操作レバー９とからなる操作部は、螺子Ｓ２を用いて座板４の室内側面部に取り付けられている。より具体的には、ラッチバー収容部４５内に固定プレート１１を収容すると共に、作動機構８を貫設する螺子Ｓ２を、開口４５Ａを通して固定プレート１１に対して締め付け固定することで、操作部を座板４に固定する。螺子Ｓ２の締め付けを緩めることで、固定プレート１１がラッチバー収容部４５内をスライド移動となっており、操作部は室外側正面から螺子Ｓ２を緩めることでラッチバー収容部４５の長さ方向にスライド移動可能である。
【００３５】
座板４に対する操作部（作動機構８）の取り付けの具体的な態様例について図１２、図１３に基づいて説明する。尚、図１２、図１３において、水切り４３、ストッパ４４は省略してある。作動機構８を貫設する螺子２の軸部の先端には予め固定プレート１１が仮取付されている。固定プレート１１は、短辺と長辺とを備えた長方形状のプレートであり、短尺方向の幅は開口４５Ａの縦幅よりも小さい寸法であり、長尺方向の幅は開口４５Ａの縦幅よりも大きい寸法である。固定プレート１１を横長の姿勢で開口４５Ａからラッチバー収容部４５に挿入させ（図１２参照）、螺子Ｓ２を回すことで固定プレート１１が横長の姿勢から縦長の姿勢へと回転する。固定プレート１１は、縦長姿勢へと固定プレート１１が回転すると、固定プレート１１の周縁の部分がラッチバー収容部４５内壁に当接して回転が規制されるような形状に形成されている。固定プレート１１の回転が規制された状態で、さらに螺子Ｓ２を締め付けることで、螺子Ｓ２が固定プレート１１に対して螺入して行くと共に、ベース８０の一部に形成された圧接部８０ａがラッチバー収容部４５の上下の垂直片を押圧し、ラッチバー収容部４５の上下の垂直片４５２、４５３が、固定プレート１１と圧接部８０ａとの間に挟持される（図１３参照）。螺子Ｓ２を緩めれば、ラッチバー収容部４５の上下の垂直片４５２、４５３の挟持状態が解消され、かつ、固定プレート１１の姿勢が横長姿勢となれば回転規制が解除され、操作部はラッチバー収容部４５に沿って左右方向にスライド移動可能となる。上記の操作部（作動機構８）の構成及び取付の詳細については特許文献１を参照することができる。尚、予めラッチバー収容部４５内に収容された固定プレート１１に対して螺子Ｓ２を固定するようにしてもよい。
【００３６】
このように構成されたシャッターの施錠装置において、部屋の間取りや、家具等の配置等によって室内側から見た時に右側に操作部（作動機構８、操作レバー９）を設けたい場合には、室内側正面から開口４５Ａを通して螺子Ｓ１を取り外して、第２要素５１、６１をそれぞれ第１要素５０、６０、第３要素５２、６２から分離し、分離した第２要素５１、６１を室内側正面から開口４５Ａを通して取り外し、次いで、螺子Ｓ２を緩めて、第３要素５２、６３及び作動機構８を室内側から見て右側に所定の位置までスライド移動させ、そして、第２要素５１、６１の左右を交換して、室内側正面から開口４５Ａを通してラッチバー収容部４５内に差し入れて、長さ方向の両端部をそれぞれ第１要素５０、６０の端部、第３要素５２、６３の端部に室外側から重ね合わせるように当接させ、螺子Ｓ１で第１要素５０、６０、第３要素５２、６２とそれぞれ連結し、螺子Ｓ２を締め付けることで操作部をラッチバー収容部４５に固定することで、操作部の位置を左側から右側に変更することができる。
【００３７】
図示の実施形態では、各ラッチバーを３分割する場合について説明したが、各ラッチバーを２分割するもの、あるいは４分割以上とするものでもよい。２分割する場合には、各ラッチバーは、第１要素と第２要素から構成されることになるが、例えば、第２要素の基端側を作動機構に連結するピンを、室外側から脱着可能に構成することで、当該ピンを取り外して、第２要素の基端側を作動機構８から分離させれば、第２要素を第１要素、作動機構から分離し、開口を通して取り外して、交換することができる。
【産業上の利用可能性】
【００３８】
本発明は、窓シャッター装置の施錠装置に用いることができる。
【符号の説明】
【００３９】
２  シャッターカーテン
２ａ  スラット
４  座板
４５  ラッチバー収容部
４５Ａ  開口
５、６  ラッチバー
５０、６０  第１要素
５１、６１  第２要素
５２、６２  第３要素
７  係止部
８  作動機構
９  操作レバー
１０  固定プレート
１１  固定プレート
Ｓ１  螺子
Ｓ２  螺子
【図１】
2010163816.tif 000003
【図２】
2010163816.tif 000004
【図３】
2010163816.tif 000005
【図４】
2010163816.tif 000006
【図５】
2010163816.tif 000007
【図６】
2010163816.tif 000008
【図７】
2010163816.tif 000009
【図８】
2010163816.tif 000010
【図９】
2010163816.tif 000011
【図１０】
2010163816.tif 000012
【図１１】
2010163816.tif 000013
【図１２】
2010163816.tif 000014
【図１３】
2010163816.tif 000015